(57)【要約】【課題】電子部品の配置の自由度を向上できる携帯電子機器を提供する。【解決手段】携帯電話機１は、回路基板１５と、シールド部材１７と、表示装置３１とを有している。シールド部材１７は、回路基板１５の実装面１５ａを覆う対向部２７と、対向部２７の縁部から延在して回路基板１５の側面を覆う延在部２９とを有している。延在部２９の回路基板１５とは反対側には凹部２９ｒが形成されている。表示装置３１は、凹部２９ｒに収容されている。【選択図】図２
2011097233.tif 000002
【特許請求の範囲】
【請求項１】
回路基板と、
前記回路基板の主面を覆う対向部と、前記対向部の縁部から延在して前記回路基板の側面を覆う延在部とを有し、前記延在部の前記回路基板とは反対側に凹部が形成されたシールド部材と、
前記凹部に収容された電子部品と、
を有する携帯電子機器。
【請求項２】
前記電子部品は、前記回路基板とは反対側へ表示面を向ける表示装置である
請求項１に記載の携帯電子機器。
【請求項３】
前記凹部を構成する壁部は、前記表示装置の画素電極を含むパターン層よりも前記回路基板の反対側に突出している
請求項２に記載の携帯電子機器。
【請求項４】
前記凹部の壁部には、当該壁部の頂部から前記凹部の底部側へ延びるスリットが形成されている
請求項３に記載の携帯電子機器。
【請求項５】
前記スリットの幅は、前記凹部の壁部の頂部から前記パターン層までの距離の２倍未満である
請求項４に記載の携帯電子機器。
【請求項６】
前記回路基板、前記シールド部材及び前記電子部品を収容し、前記表示面を露出させる窓部が形成された筐体と、
前記窓部を囲む枠状に形成され、前記筐体の内側面と前記表示面との間に介在するとともに前記シールド部材に当接する、導電性を有する弾性部材と、
を更に有する請求項２〜５のいずれか１項に記載の携帯電子機器。
【請求項７】
前記回路基板及び前記シールド部材を収容し、前記回路基板及び前記シールド部材の積層方向を厚さ方向とする薄型に形成された筐体を有し、
前記表示装置は、前記筐体の前記積層方向の側方の面から露出する
請求項２〜６のいずれか１項に記載の携帯電子機器。
【請求項８】
前記延在部の前記回路基板側に配置され、前記延在部の前記回路基板側への荷重を支持可能なバッテリを更に有する
請求項１〜７のいずれか１項に記載の携帯電子機器。
【発明の詳細な説明】
【技術分野】
【０００１】
本発明は、携帯電話機、ＰＤＡ、ゲーム機等の携帯電子機器に関する。
【背景技術】
【０００２】
回路基板と、当該回路基板の実装面をシールドするシールドケースとを有する携帯電子機器が知られている（例えば、特許文献１）。
【先行技術文献】
【特許文献】
【０００３】
【特許文献１】特開２００７−３２４２０９号公報
【発明の概要】
【発明が解決しようとする課題】
【０００４】
携帯電子機器においては、電子部品の配置の自由度向上が要求されることがある。例えば、購買意欲増進のために、表示装置、スイッチ、撮像装置等の筺体外部に露出する電子部品を従来とは異なる位置に配置し、斬新なデザインとすることが要求されることがある。一方、このような電子部品の配置の自由度を向上させようとすると、電子部品を保持する保持部材を設けることにより、部品点数が増加したり、筐体が大型化したりすることがある。また、電子部品を十分な強度で保護することが困難になることもある。すなわち、電子部品の配置の自由度向上には困難が伴う。
【０００５】
本発明の目的は、電子部品の配置の自由度を向上できる携帯電子機器を提供することにある。
【課題を解決するための手段】
【０００６】
本発明の携帯電子機器は、回路基板と、前記回路基板の主面を覆う対向部と、前記対向部の縁部から延在して前記回路基板の側面を覆う延在部とを有し、前記延在部の前記回路基板とは反対側に凹部が形成されたシールド部材と、前記凹部に収容された電子部品と、を有する。
【０００７】
好適には、前記電子部品は、前記回路基板とは反対側へ表示面を向ける表示装置である。
【０００８】
好適には、前記凹部を構成する壁部は、前記表示装置の画素電極を含むパターン層よりも前記回路基板の反対側に突出している。
【０００９】
好適には、前記凹部の壁部には、当該壁部の頂部から前記凹部の底部側へ延びるスリットが形成されている。
【００１０】
好適には、前記スリットの幅は、前記凹部の壁部の頂部から前記パターン層までの距離の２倍未満である。
【００１１】
好適には、携帯電子機器は、前記回路基板、前記シールド部材及び前記電子部品を収容し、前記表示面を露出させる窓部が形成された筐体と、前記窓部を囲む枠状に形成され、前記筐体の内側面と前記表示面との間に介在するとともに前記シールド部材に当接する、導電性を有する弾性部材と、を更に有する。
【００１２】
好適には、携帯電子機器は、前記回路基板及び前記シールド部材を収容し、前記回路基板及び前記シールド部材の積層方向を厚さ方向とする薄型に形成された筐体を有し、前記表示装置は、前記筐体の前記積層方向の側方の面から露出する。
【００１３】
好適には、前記延在部の前記回路基板側に配置され、前記延在部の前記回路基板側への荷重を支持可能なバッテリを更に有する。
【発明の効果】
【００１４】
本発明によれば、電子部品の配置の自由度を向上できる。
【図面の簡単な説明】
【００１５】
【図１】本発明の実施形態に係る携帯電話機を示す外観斜視図。
【図２】図１の携帯電話機の第２筐体を示す分解斜視図。
【図３】図２の第２筐体のサブ表示部周辺を示す分解斜視図。
【図４】図３のサブ表示部の表示装置を示す図。
【図５】図２のＶ−Ｖ線における断面図。
【図６】図３の延在部のスリットを説明する図。
【発明を実施するための形態】
【００１６】
図１は、本発明の実施形態に係る携帯電話機１の外観を開状態で示す斜視図である。
【００１７】
携帯電話機１は、いわゆる折り畳み式の携帯電話機として構成されており、開状態と閉状態との間で、回転軸ＲＡ回りに相対回転可能に連結された第１筐体３及び第２筐体５を備えている。第１筐体３及び第２筐体５は、例えば、それぞれ概ね薄型直方体状に形成されており、閉状態では互いに重ねあわされて互いの輪郭が略一致する。
【００１８】
なお、以下では、第１筐体３及び第２筐体５それぞれに関して、閉状態において互いに対向する側を対向面側といい、その反対側を背面側ということがある。
【００１９】
第２筐体５は、対向面側に凹部５ｒが形成されている。また、第２筐体５及び凹部５ｒは、対向面側ほど広くなるように構成されている。一方、第１筐体３は、対向面側から中央側へ広くなり、中央側から背面側へ狭くなるように構成されている。閉状態においては、第２筐体５の凹部に第１筐体３の対向面側の一部が収容される。
【００２０】
第１筐体３には、特に図示しないが、例えば、通話用のマイクロフォン、通信のための内蔵アンテナ、報知用のスピーカ、カメラ、ユーザの操作を受け付ける操作部７が設けられている。第２筐体５には、特に図示しないが、例えば、通話用のスピーカ、メイン表示部９が設けられている。
【００２１】
さらに、第１筐体３の側面３ｓには、サブ表示部１１が設けられている。なお、側面３ｓは、薄型形状における外周面（表面及び裏面の外周の面）を構成する面である。側面３ｓは、回転軸ＲＡに直交する面である。側面３ｓは、第１筐体３及び第２筐体５の閉状態における対向方向の側方に面する面である。
【００２２】
図２は、第２筐体５の分解斜視図である。
【００２３】
第２筐体５においては、背面側（図２の下方側）から順に、蓋体２１、リアケース１３、回路基板１５、シールド部材１７及びフロントケース１９が積層的に配置されている。また、第２筐体５には、バッテリ２３が収容される。
【００２４】
なお、第２筐体５には、この他にも、シールド部材１７上に積層されるＦＰＣ、当該ＦＰＣに実装され、操作部７を構成する複数のスイッチ等が設けられるが図示は省略する。
【００２５】
リアケース１３及び蓋体２１は、第２筐体５の背面側部分を構成し、フロントケース１９は、第２筐体５の正面側部分を構成する。リアケース１３、フロントケース１９及び蓋体２１は、例えば、樹脂により形成されている。
【００２６】
リアケース１３及びフロントケース１９は、回路基板１５及びシールド部材１７を挟み込んで収容し、不図示のネジなどにより互いに固定される。リアケース１３は、第２筐体５の背面を構成する部分にバッテリ２３を着脱するための開口１３ｈが形成されている。蓋体２１は、リアケース１３に対して係合し、開口１３ｈを塞ぐ。
【００２７】
第２筐体５の側面３ｓは、対向面側の半分程度が主としてフロントケース１９により形成され、背面側の半分程度が主としてリアケース１３により形成されている。ただし、側面３ｓは、サブ表示部１１周辺においては、対向面側から背面側に亘る大部分がフロントケース１９により構成されている。
【００２８】
具体的には、フロントケース１９は、第１筐体３の対向面を構成する対向面部１９ａと、対向面部１９ａに立設され、側面３ｓを構成する側壁部１９ｂとを有している。側壁部１９ｂは、頂部側ほど外周側へ位置するように、対向面部１９ａに垂直な方向に対して傾斜している。側壁部１９ｂは、リアケース１３側に突出する窓用側面１９ｓを有している。窓用側面１９ｓは、対向面部１９ａに対して垂直に形成されている。また、窓用側面１９ｓには、サブ表示部１１の表示窓を構成する開口１９ｒが形成されている。
【００２９】
一方、リアケース１３は、第１筐体３の背面を構成する背面部１３ａと、背面部１３ａに立設され、側面３ｓを構成する側壁部１３ｂとを有している。側壁部１３ｂには、切り欠き部１３ｓが形成されている。
【００３０】
窓用側面１９ｓは、切り欠き部１３ｓから露出して、側面３ｓのサブ表示部１１周辺を構成する。このような構成とすることにより、対向面側と背面側との中央が拡径し、且つ、サブ表示部１１において平面を有する第２筐体５が、フロントケース１９及びリアケース１３の対向方向を型開閉方向とする金型により無理なく形成される。
【００３１】
バッテリ２３は、例えば、概ね矩形の直方体状に形成されている。リアケース１３は、背面部１３ａに立設された周壁部１３ｗを有しており、周壁部１３ｗ及び回路基板１５により、バッテリ２３が嵌合する凹部が形成されている。周壁部１３ｗの一部は、切り欠き部１３ｓ（窓用側面１９ｓ）に対して第１筐体３の内部側から対向している。
【００３２】
回路基板１５は、例えば、硬質の樹脂をベースとしたリジッド式のプリント配線板により構成されている。回路基板１５は、例えば、概ね、第２筐体５と同等の広さを有する矩形状に形成されている。回路基板１５の対向面側の実装面１５ａ及び背面側の実装面１５ｂには、ＩＣ等の種々の電子部品２５が実装されている。
【００３３】
シールド部材１７は、回路基板１５の実装面１５ａを覆い、実装面１５ａに設けられた電子部品２５をシールドする。シールド部材１７は、例えば、金属により構成されており、導電性を有するとともに、比較的（例えば、樹脂で形成された第１筐体３に比較して）剛性が高い。ただし、シールド部材１７は、樹脂基体及びその表面に形成された金属膜により構成されていてもよい。シールド部材１７は、後述するリブ２７ｂが回路基板１５のグランド層１５ｇに当接することなどにより、回路基板１５のグランド層１５ｇに接続されている。
【００３４】
シールド部材１７は、回路基板１５を覆う対向部２７と、対向部２７の縁部から延在して回路基板１５の側面を覆う延在部２９とを有している。
【００３５】
対向部２７は、例えば、回路基板１５に対向し、平板状に形成された板状部２７ａと、板状部２７ａの縁部及び内側において立設されたリブ２７ｂとを有している。板状部２７ａは、概ね、回路基板１５と同等の広さを有する矩形状に形成されている。リブ２７ｂは、複数の電子部品２５を区画するように延びている。
【００３６】
延在部２９は、概ね、薄型の箱状（凹部が形成された板状）に形成されている。延在部２９の平面形状は、例えば、矩形である。延在部２９は、第１筐体３が組み立てられると、周壁部１３ｗと窓用側面１９ｓとの間に積層的に配置される。従って、筐体外側から延在部２９に加えられた荷重は、周壁部１３ｗを介してバッテリ２３に支持される。延在部２９には、サブ表示部１１を構成する表示装置３１が収容されている。
【００３７】
図３は、サブ表示部１１周辺における分解斜視図である。
【００３８】
サブ表示部１１においては、延在部２９、表示装置３１、弾性部材３３及び透光部材３５が順に積層的に配置される。
【００３９】
延在部２９には、表示装置３１を収容する凹部２９ｒが形成されている。換言すれば、延在部２９には、表示装置３１を囲む壁部２９ｗが設けられている。凹部２９ｒは、表示装置３１が概ね嵌合する形状（本実施形態では矩形）に形成されている。凹部２９ｒの底面には更に、後述する保護ガラス４３が嵌合する凹部も形成されている。壁部２９ｗは、矩形の３辺に設けられている。
【００４０】
また、壁部２９ｗには、表示装置３１の取り外しを容易化するために、頂部から凹部２９ｒの底部側へ延びるスリット２９ｓが形成されている。スリット２９ｓは、例えば、凹部２９ｒの底部まで延び、当該底部に切り欠き部を形成している。
【００４１】
透光部材３５は、表示装置３１の表示面３１ａを保護するための部材である。透光部材３５は、例えば、透光性の樹脂又はガラスにより形成されている。なお、透光部材３５は、外周側の領域に金属や塗料により遮光層が形成されている。透光部材３５は、例えば、両面テープや接着剤により窓用側面１９ｓの外側面に固定される。なお、透光部材３５は、フロントケース１９の一部と捉えられてもよい。
【００４２】
弾性部材３３は、表示装置３１の表示面３１ａへの塵の侵入を抑制するためのものである。弾性部材３３は、例えば、ゴム又はスポンジにより形成され、また、開口１９ｒを囲む枠状に形成されている。弾性部材３３は、例えば、窓用側面１９ｓの内側面に両面テープや接着剤により固定されており、第１筐体３が組み立てられると、表示装置３１の表示面３１ａの外周側部分に当接する。
【００４３】
弾性部材３３は、導電性を有している。例えば、弾性部材３３は、表面に金属膜が形成されたり、金属の粉末が混入された材料により全体が形成されたりすることにより、導電性を有している。そして、弾性部材３３は、壁部２９ｗに当接することにより、回路基板１５のグランドラインに接続されている。
【００４４】
図４（ａ）は、表示装置３１を表示面３１ａ側から見た図である。図４（ｂ）は、表示装置３１を図４（ａ）の下方側から見た図である。図４（ｃ）は、図４（ｂ）の領域ＩＶｃの拡大図である。
【００４５】
表示装置３１は、例えば、有機ＥＬディスプレイにより構成されている。表示装置３１は、ガラス基板４１と、ガラス基板４１の表示面３１ａとは反対側に積層された保護ガラス４３と、ガラス基板４１の表示面３１ａ側に積層された偏光板４５と、ガラス基板４１に設けられたドライバ４７と、ガラス基板４１に接続されたフレキシブル基板４９とを有している。
【００４６】
図４（ｃ）に示すように、ガラス基板４１の保護ガラス４３側の面には、パターン層５１が形成されている。保護ガラス４３は、パターン層５１を保護するためのものであり、パターン層５１を収容する凹部を有している。また、この凹部には、封止剤が封入されており、パターン層５１の更なる保護が図られている。
【００４７】
パターン層５１は、特に図示しないが、陰極、電子輸送層、発光層、正孔輸送層及び陽極が積層されている。陰極及び陽極の一方は、画素毎に設けられた画素電極であり、他方は、複数の画素に共通に設けられた共通電極である。
【００４８】
表示装置３１は、長手方向が側面３ｓの長手方向に対応するように凹部２９ｒに嵌合される。なお、表示装置３１と凹部２９ｒとの間には両面テープや接着剤が設けられてもよい。フレキシブル基板４９は、延在部２９の矩形の一辺であって壁部２９ｗが形成されていない領域から凹部２９ｒ外に延在し、回路基板１５に接続される。
【００４９】
図５は、図２のＶ−Ｖ線における断面図である。
【００５０】
壁部２９ｗは、凹部２９ｒの底部からの高さＨ２が、凹部２９ｒの底部からパターン層５１（図５では不図示）までの高さＨ１よりも大きくなるように形成されている。より具体的には、壁部２９ｗは、表示面３１ａの高さと同等以上の高さまで突出している。
【００５１】
図６（ａ）は、延在部２９を図２の下方（第２筐体５の背面側）から見た図である。図６（ｂ）は、図６（ａ）の領域ＶＩｂの拡大図である。
【００５２】
スリット２９ｓの幅Ｗは、例えば、壁部２９ｗの頂部からパターン層５１（図６では不図示）までの距離Ｈ３の２倍未満に設定されている。
【００５３】
以上の実施形態によれば、携帯電話機１は、回路基板１５と、シールド部材１７と、表示装置３１とを有している。シールド部材１７は、回路基板１５の実装面１５ａを覆う対向部２７と、対向部２７の縁部から延在して回路基板１５の側面を覆う延在部２９とを有している。延在部２９の回路基板１５とは反対側には凹部２９ｒが形成されている。表示装置３１は、凹部２９ｒに収容されている。
【００５４】
従って、回路基板１５の側方に表示装置３１を配置することができ、電子部品の配置の自由度が向上する。また、シールド部材１７に表示装置３１を保持するための凹部２９ｒを形成していることから、表示装置３１を保持するための保持部材を別個設ける場合のように部品点数が増加することもない。さらに、シールド部材１７は、一般に剛性が高く、表示装置３１の強度的な保護も好適になされる。シールド部材１７による表示装置３１の電気的な保護も期待される。特に、本実施形態のように、第２筐体５の側面３ｓにフロントケース１９とリアケース１３との合わせ面が位置するような構成においては、合わせ面から侵入する静電気が、壁部２９ｗに誘導されることにより、表示装置３１が静電気から保護されることが期待される。
【００５５】
凹部２９ｒに収容される電子部品は、回路基板１５とは反対側へ表示面３１ａを向ける表示装置３１である。換言すれば、凹部２９ｒに収容される電子部品は、外部へ露出する電子部品である。従って、電子部品の配置の自由度向上に伴ってデザインの自由度を向上させることができる。例えば、薄型の筐体の側面にサブ表示部１１を配置する斬新なデザインが可能となる。
【００５６】
凹部２９ｒを構成する壁部２９ｗの頂部は、表示装置３１の画素電極を含むパターン層５１よりも回路基板１５の反対側に位置している。従って、表示面３１ａ側からの静電気は、パターン層５１よりも壁部２９ｗに流れやすくなり、表示装置３１の保護が図られる。
【００５７】
凹部２９ｒの壁部２９ｗには、壁部２９ｗの頂部から凹部２９ｒの底部側へ延びるスリット２９ｓが形成されている。従って、スリット２９ｓを介して工具等を表示装置３１に当接させ、表示装置３１を凹部２９ｒから取り外すことが容易化される。当該効果は、壁部２９ｗが表示面３１ａよりも突出し、表示装置３１が取り出しにくくなっている場合に有効である。また、スリット２９ｓが凹部２９ｒの底部まで延びて、底部に切り欠きを形成している場合には、工具等を表示装置３１の底部側の面に当接させて凹部２９ｒから押し出すこともでき、より好適に取り外しが可能となる。
【００５８】
スリット２９ｓの幅Ｗは、凹部２９ｒの壁部２９ｗの頂部からパターン層５１までの距離Ｈ３の２倍未満である。従って、静電気を壁部２９ｗへ逃がすことによる、パターン層５１の保護がより好適になされる。具体的には、以下のとおりである。静電気が壁部２９ｗから最も離れた位置、換言すれば、スリット２９ｓの幅方向の中央の位置Ｐ（図６（ｂ））に存在する場合を考える。この場合、位置Ｐと壁部２９ｗとの距離は、Ｗ／２となる。すなわち、静電気とパターン層５１との最短距離（Ｈ３）よりも小さくなる。その結果、静電気はより確実に壁部２９ｗに逃げることになる。
【００５９】
携帯電話機１は、回路基板１５、シールド部材１７及び表示装置３１を収容し、表示面３１ａを露出させる開口１９ｒが形成された第２筐体５を有する。また、携帯電話機１は、開口１９ｒを囲む枠状に形成され、第２筐体５の内側面と表示面３１ａとの間に介在するとともにシールド部材１７に当接する、導電性を有する弾性部材３３を有する。すなわち、携帯電話機１は、塵の侵入抑制と静電気対策とに兼用される弾性部材３３を有する。従って、部品点数を増加させることなく、表示装置３１の静電気からの保護を一層確実に行うことができる。
【００６０】
携帯電話機１は、回路基板１５及びシールド部材１７を収容し、回路基板１５及びシールド部材１７の積層方向を厚さ方向とする薄型に形成された第２筐体５（第１筐体３及び第２筐体５全体も薄型の筐体である。）を有する。表示装置３１は、第２筐体５の積層方向の側方の面（側面３ｓ）から露出する。従って、携帯電話機１のデザインや取り扱いに関する自由度が向上する。例えば、閉状態の携帯電話機１において、第１筐体３及び第２筐体５のいずれ側を上方又は下方に向けて載置面に載置しても、サブ表示部１１は載置面に対向せず、視認可能である。
【００６１】
携帯電話機１は、延在部２９の回路基板１５側に配置され、延在部２９の回路基板１５側への荷重を支持可能なバッテリ２３を更に有する。従って、延在部２９の強度がバッテリ２３に補強され、表示装置３１の保護が一層確実になされる。
【００６２】
本発明は、以上の実施形態に限定されず、種々の態様で実施されてよい。
【００６３】
携帯電子機器は、携帯電話機に限定されず、例えば、ＰＤＡ、デジタルカメラ、ノートパソコン、ゲーム機であってもよい。また、筐体は、連結された２つの筐体により構成されるものに限定されず、例えば、一体の筐体のみから構成されていてもよい。また、筐体は、回路基板及びシールドケースを挟み込む２つのケースを有するものに限定されず、例えば、回路基板やシールドケースを収容する箱状の１つのケースから構成されるものであってもよい。
【００６４】
電子部品は、筐体外部に露出する電子部品に限定されず、例えば、ＩＣ、スピーカ、マイクロフォンであってもよい。また、筐体外部に露出する電子部品は、表示装置に限定されず、例えば、スイッチ、撮像装置であってもよい。
【００６５】
表示装置は、有機ＥＬディスプレイに限定されず、例えば、液晶ディスプレイであってもよい。なお、この場合、パターン層は、２枚のガラス基板間に配置され、共通電極、液晶、画素電極等を含む。また、弾性部材（３３）は、必ずしも導電性を有していなくてもよい。
【００６６】
バッテリは、周壁部（１３ｗ）を介さずに、直接的に延在部に当接して、延在部の荷重を支持してもよい。
【符号の説明】
【００６７】
１…携帯電話機、１５…回路基板、１７…シールド部材、２７…対向部、２９…延在部、２９ｒ…凹部、３１…表示装置（電子部品）。
【図１】
2011097233.tif 000003
【図２】
2011097233.tif 000004
【図３】
2011097233.tif 000005
【図４】
2011097233.tif 000006
【図５】
2011097233.tif 000007
【図６】
2011097233.tif 000008